(57)【要約】      （修正有）【課題】発光部品に発光ダイオードを用いつつ、発光斑のない電飾看板を提供する。【解決手段】窓を筐体２の正面に備え、筐体内部には窓の背面に光透過板５を有し、光透過板の背面側には、照明機器１５と光反射板１６を備え、光透過板の正面側に掲示する表示物４の背面側を照らす電飾看板１において、照明機器には、光源モジュール１８を配線１９で接続してある発光ユニット２０を備えるものを用い、光源モジュールは、背面部に比べて正面部が小さな段差形状のブロックで、ブロック正面部を光拡散レンズ２２で構成し、ブロック背面部には発光ダイオード２３が組み込まれた回路基板２４を備えるものであって、光源モジュールを窓の全域に亘って散在させ、照明機器の正面側に光反射板を配し、光反射板には、光源モジュールに対応する箇所に突出用孔３５をあけ、突出用孔から光拡散レンズを正面側に突出し、配線１９を、光反射板の背面側に隠蔽する。【選択図】図２
0003135967.tif 000002
【実用新案登録請求の範囲】
【請求項１】
窓（３）を筐体（２）の正面に備え、筐体（２）の内部には窓（３）の背面に光透過板（５）を有し、光透過板（５）の背面側には、照明機器（１５）と、照明機器（１５）からの光を正面側に反射する光反射板（１６）と、をそれぞれ備え、光透過板（５）の正面側に掲示する表示物（４）の背面側を光透過板（５）越しに照らす電飾看板（１）において、
照明機器（１５）には、多数の光源モジュール（１８）を配線（１９）で接続してある発光ユニット（２０）を備えるものを用い、
光源モジュール（１８）は、全体として背面部に比べて正面部が小さな段差形状のブロックであって、ブロックの正面部を光拡散レンズ（２２）で構成し、ブロックの背面部には発光ダイオード（２３）が組み込まれた回路基板（２４）を備えるものであって、
多数の光源モジュール（１８）を窓（３）の全域に亘って散在させると共に、照明機器（１５）の正面側に光反射板（１６）を配置し、光反射板（１６）には、光源モジュール（１８）に対応する箇所に突出用孔（３５）をあけ、突出用孔（３５）から光源モジュール（１８）の光拡散レンズ（２２）を正面側に突出し、光源モジュール（１８）を接続する配線（１９）を、光反射板（１６）の背面側に隠蔽してあることを特徴とする電飾看板。
【考案の詳細な説明】
【技術分野】
【０００１】
本考案は、絵や写真等の表示物を見栄え良くするために、表示物の後ろ側を発光する電飾看板に関する。
【背景技術】
【０００２】
従来の電飾看板は、表示物の後側に照明機器を配置し、その照明機器の発光部品に蛍光灯を用いるものが知られている。そして、外箱の正面に、絵や写真等の表示物を収容する窓付きの開閉扉を備え、外箱の奥側に配置された光反射板によって、蛍光灯の光を表示物の後面全域に行き渡らせている（特許文献１）。
【特許文献１】特開２００５−２８３７８２号公報
【０００３】
しかしながら蛍光灯を用いると、光反射板によって光を広域に拡散して反射していても、発光斑と呼ばれる明度の濃淡が表れがちである。これは、例えば長方形の表示物に対して、縦や横に複数本の蛍光灯を配置し、しかも、製品のコンパクト化を図るために、表示物と蛍光灯との間隔を狭くしてあることを原因とする。かといって、蛍光灯の本数を増やすと、電気料金が高くなるし、また、表示物と蛍光灯の間隔を充分に取ると、外箱が分厚くなって（製品が大型化し）、商品価値が減少する。
【０００４】
そこで、本考案者は、消費電力を抑えるために蛍光灯ではなく、発光ダイオードを発光部品として用いることを思いついた。発光ダイオードであれば、多数利用したとしてもその消費電力は蛍光灯に比べて少なくて済むし、多数の発光ダイオードを散在させれば、発光斑の発生を最小限に食い止めることができそうである。そして、株式会社光波（本社：東京都練馬区向山２−６−８）の製造販売する商品名シャイニングアイ（Ｌ）を用いることを思いついた（考案を実施するための最良の形態の中で詳細に説明する）。
【０００５】
ちなみに、シャイニングアイ（Ｌ）を用いた商品として、光反射板の正面に多数のシャイニングアイ（Ｌ）を散在させて固定し、シャイニングアイ（Ｌ）の正面に乳白色のアクリル板を間隔をあけて配置し、光反射板によってアクリル板に向かって光を反射させる看板が知られている（非特許文献１）。
【非特許文献１】株式会社光波、[平成１８年８月２５日検索]、インターネット＜ＵＲＬ：http://www.koha.co.jp/products/appli/14.html＞
【０００６】
ところが、シャイニングアイ（Ｌ）は、配線で多数連結するものなので、その配線部分については光の反射は得られず、そのせいでアクリル板に発光斑を生じさせることになった。
【考案の開示】
【考案が解決しようとする課題】
【０００７】
本考案は上記実情を考慮して創作されたもので、その目的は、発光部品に発光ダイオードを用いながら、発光斑のない、電飾看板を提供することにある。
【課題を解決するための手段】
【０００８】
本考案は、窓を筐体の正面に備え、筐体の内部には窓の背面に光透過板を有し、光透過板の背面側には、照明機器と、照明機器からの光を正面側に反射する光反射板と、をそれぞれ備え、光透過板の正面側に掲示する表示物の背面側を光透過板越しに照らす電飾看板を前提とする。
【０００９】
そして、照明機器には、多数の光源モジュールを配線で接続してある発光ユニットを備えるものを用いる。光源モジュールは、全体として背面部に比べて正面部が小さな段差形状のブロックであって、ブロックの正面部を光拡散レンズで構成し、ブロックの背面部には発光ダイオードが組み込まれた回路基板を備えるものである。そして、多数の光源モジュールを窓の全域に亘って散在させると共に、照明機器の正面側に光反射板を配置し、光反射板には、光源モジュールに対応する箇所に突出用孔をあけ、突出用孔から光源モジュールの光拡散レンズを正面側に突出し、光源モジュールを接続する配線を、光反射板の背面側に隠蔽してあることを特徴とする。
【考案の効果】
【００１０】
本考案は、光反射板によって配線を背面側に隠してあるので、光拡散レンズからの光が光拡散レンズの真正面だけでなく、光反射板によってその周囲にも反射し、その上、光源モジュールを窓の全域に亘って散在させてあるので、光透過板越しに表示物の全面を満遍なく照らすことになり、発光斑がなくなり、美観の優れたものとなる。また、光源モジュールを窓の全域に亘って散在させることにより、発光斑をなくしながらも筐体の厚みを薄くでき、その結果、商品価値が向上する。
【考案を実施するための最良の形態】
【００１１】
電飾看板１は図１〜図３に示すように、薄い箱型の筐体２の正面側を開閉可能に設け、筐体２の正面に表示物掲載用の窓３をあけ、筐体２の内部であって且つ窓３の背面側には、フィルム状の表示物４を掲示する光透過板５を備え、筐体２の内部であって光透過板５の背面側には、光透過板５越しに表示物４の全域を照らす発光パネル６を、備えている。
【００１２】
筐体２は、底の浅い箱本体７の正面に扉８を回転式に開閉可能に連結したものである。具体的には、箱本体７の上面にＬ字状のフックＦの一片を留め、Ｌ字状のフックＦの他片を箱本体７の正面側に間隔をあけて屈曲し、そのフックＦの他片を、扉８の上面のフック孔Ｈに通し、フックＦを支点として扉８を回転式に開閉可能に連結してある。なお、図示しないが、扉８を閉めた状態を保持する施錠装置を、箱本体７と扉８に亘って設けてある。
【００１３】
箱本体７は矩形であって、正面の端面を戸当り面９とする。
【００１４】
また、扉８は、箱本体７の戸当り面９に沿う矩形の枠１０を有し、枠１０の内側の開口部を窓３とし、窓３の内側を保護用の透明板（ガラス板）１１で塞いである。
【００１５】
透明板１１は、窓３よりも一回り大きな外寸形状とし、その外周部の背面側に細長い固定板１２を当て、ビス１３等で枠１０に留めてある。透明板１１の背面側には不透明（乳白色）の光透過板５を隙間をあけて配置し、透明板１１と光透過板５との隙間にポスター等のフィルム状の表示物４を配置する。
【００１６】
光透過板５は、窓３よりも一回り大きな外寸形状とし、枠１０に対して回転式に開閉可能に連結してある。枠１０と光透過板５の連結構造は、枠１０に留めた透明板１１に対して、光透過板５を冊子のように綴じる連結構造であって、蝶番１４を用い、蝶番１４の一片を光透過板５に、蝶番１４の他片を固定板１２に留めてある。蝶番１４による連結箇所を、筐体２の上部としてあるので、扉８を閉めた状態では、光透過板５は自重によって垂下し(鉛直な状態となり）、透明板１１と光透過板５は隙間をあけて平行に保たれている。そして、その隙間に配置した表示物４を何らかの手段によって固定する。具体的には、表示物４の縁部を例えば両面粘着テープによって光透過板５の縁部に留めて保持する。
【００１７】
発光パネル６は図２〜図４に示すように、箱本体７の奥部に固定してあって、光透過板５の背面側であって窓３の開口領域全面を照らすものである。発光パネル６は、光透過板５越しに表示物４を背面側から照らす照明機器１５と、照明機器１５からの光を正面側に反射して光透過板５越しに表示物４の背面側を照らす光反射板１６と、照明機器１５と光反射板１６を留める支持板１７とから構成し、三者が一体となったものである。
【００１８】
照明機器１５は図４、図５に示すように、多数の光源モジュール１８を配線１９で接続してある発光ユニット２０を備えるものを用い、発光ユニット２０を発光させる電源２１を、箱本体７に内蔵してある。光源モジュール１８には、例えば株式会社光波（本社：東京都練馬区向山２−６−８）の製造販売する商品名シャイニングアイ（Ｌ）を用いる。
【００１９】
光源モジュール１８は図６又は図７に示すように、全体として背面部に比べて正面部が小さな段差形状のブロックであって、ブロックの正面部を光拡散レンズ２２で構成し、ブロックの背面部には発光ダイオード２３が組み込まれた回路基板２４を備えるものである。図７の一点鎖線は、想像線である。
【００２０】
ブロック正面部の光拡散レンズ２２は、背面側の発光ダイオード２３からの光を正面側だけでなく、側面、斜め背面側にも拡散し、正面側への光の照度を側面や斜め背面側への光よりも弱くしてあるものである。具体的には、円盤形状でその正面外周部分を平面にすると共に、中央部を窪ませてある凹レンズであって、窪み形状がラッパ状である。
【００２１】
ブロック背面部は、保持用のベース２５の中央部に回路基板２４を載せ、回路基板２４の上からベース２５の表面側及び側面を透明材２６で一回り大きく且つ幅中央部を肉厚に覆ってある。その結果、また、回路基板２４に接続した配線１９の端部が透明材２６で覆われると共に、透明材２６のうち肉厚部分が光拡散レンズ２２となる。また、ブロック背面部は、全体として矩形であって、その対向する二辺の四隅部分であって肉厚全体の背面側部分から第一突起２７，第二突起２８を、外向きに突出してある。対向する二辺のうち一辺側から突出するものを第一突起２７、他辺側から突出するものを第二突起２８とする。
【００２２】
支持板１７は、図５又は図８に示すように、多数の光源モジュール１８を全面に亘って均一に散在させて保持するもので、各光源モジュール１８の設置箇所には、位置決め兼保持用の第一ストッパー片２９、第二ストッパー片３０を、その周囲を打ち抜いて形成してある。第一ストッパー片２９は、ブロック一辺側の二つの第一突起２７を側面及び正面から抑えるものである。第二ストッパー片３０は、他片側の一つの第二突起２８を同様に側面及び正面から抑えるものである。第一ストッパー片２９は、二つの第一突起２７，２７を抑える第一小片３１，３１が両側に突出したもので、その周囲の打ち抜き形状が恰も角張ったＣ字状となっている。一方、第二ストッパー片３０は、第一ストッパー片２９の片側半分の形状であって、一つの第二突起２８のみを抑える第二小片３２が片側に突出している。第一、第二ストッパー片２９，３０には、折り曲げを容易にするための抜穴３３を基部側にあけてある。支持板１７は、矩形の金属板であって、その四辺の各辺には、光反射板１６への接続片３４を外側に突出し、図では接続片３４の基端に沿って折り曲げ線を二点鎖線で示してある。
【００２３】
図９（イ）に示すように打ち抜き形状の支持板１７を使用する際には、光源モジュール１８を留める前に、図９（ロ）に示すように予め支持板１７を寝かせたまま連結片３６と第一ストッパー片２９をその基端を支点にして鉛直に起こすと共に、第二ストッパー片３０を基端を支点にして斜めに外側に傾ける。そして、図９（ハ）に示すように光源モジュール１８の背面側を支持板１７に押し付けながら、光源モジュール１８の第一突起２７を、起こした第一ストッパー片２９の第一小片３１の下をくぐらせる。すると、光源モジュール１８が位置決めされて、光源モジュール１８の第二突起２８の側方に傾斜した第二ストッパー片３０がちょうど位置するので、そのまま図９（ニ）に示すように第二ストッパー片３０を鉛直に起こす。以上の手順より、光源モジュール１８は、背面を支持板１７に押し付け、その側面を第一、第二ストッパー片２９，３０で保持し、さらに、その正面の四隅のうち三つを第一、第二小片３１，３２で保持する形態となって、支持板１７と一体化する。
【００２４】
光反射板１６は図２、図３又は図１０に示すように、表面側（正面側）に光を反射するもので、支持板１７に位置決めされた光源モジュール１８に対応する箇所に、光拡散レンズ２２用の突出用孔３５を、光拡散レンズ２２より一回り大きな円形にあけてある。また、光反射板１６は、矩形の金属板であって、その各辺の周囲には、支持板１７と同様に、連結片３６を外側に突出してある。ちなみに、光反射板１６には、例えば古川スカイ株式会社（本社：東京都千代田区外神田４丁目１４番１号）の販売する商品名ファスコートクリスタルを用いる。これはアルミニウム又はアルミニウム合金の板の表面を、光反射面となる樹脂皮膜で覆うものである。
【００２５】
光反射板１６と、発光ユニット２０を組み付けた支持板１７とを一体化するには、光反射板１６の連結片３６をその基端を支点にして背面側に折り曲げ、光反射板１６の突出用孔３５から光源モジュール１８の光拡散レンズ２２を正面側に突出させ、光反射板１６の連結片３６と支持板１７の接続片３４を重ね合わせて、重ね合わせた適宜箇所をビス等で留める。以上より、光反射板１６、発光ユニット２０、支持板１７の三者が一体化した発光パネル６が完成する。
【００２６】
発光パネル６を箱本体７の奥部に固定する際には図２〜図４に示すように、箱本体７の背板３７に対して、階段状に屈曲するブラケット３８を、発光パネル６の周囲に沿って間隔をあけて固定する。ブラケット３８は、背板３７から正面側に突出するので、その正面側の先端片に、ブラケット３８と対称的に屈曲する押え板３９の先端片をビス等で留める。押え板３９の背面片部分で光反射板１６の外周部を箱本体７の奥部に押し付ける。また、発光パネル６には、適宜箇所に、光反射板１６から支持板１７に貫通する固定孔をあけてあり、その固定孔を箱本体７の背板３７にビス４０等で留めることによって、確実な取付としてある。
【００２７】
本考案品の性能を示す比較品として、光反射板１６の突出用孔３５をなくして、その光反射板１６を支持板１７の代わりに光源モジュール１８の背面に配置したものを用意した。実験結果から、光透過板５への照度は、本考案品の方が比較品よりも約３０パーセント向上することが判明した。
【図面の簡単な説明】
【００２８】
【図１】電飾看板の正面図である。
【図２】図１のＡ−Ａ線断面図である。
【図３】図１のＢ−Ｂ線断面図である。
【図４】筐体から扉を外した状態を示す正面図である。
【図５】光源モジュールを支持板に組み付けた状態を示す一部拡大平面図である。
【図６】（イ）〜（ニ）図は光源モジュールを示す平面図、正面図、Ａ−Ａ線拡大断面図、Ｂ−Ｂ線拡大断面図である。
【図７】発光ダイオードと回路基板の関係等を示す平面図である。
【図８】支持板を示す一部拡大平面図である。
【図９】（イ）〜（ニ）図は支持板への光源モジュールの組み付け状態を示す作業工程図である。
【図１０】光反射板の平面図である。
【符号の説明】
【００２９】
１電飾看板、２筐体、３窓、４表示物、５光透過板、６発光パネル、７箱本体、８扉、
９戸当り面、１０枠、１１透明板、１２固定板、１３ビス、１４蝶番、１５照明機器、
１６光反射板、１７支持板、１８光源モジュール、１９配線、２０発光ユニット、
２１電源、２２光拡散レンズ、２３発光ダイオード、２４回路基板、２５ベース、
２６透明材、２７第一突起、２８第二突起、２９第一ストッパー片、
３０第二ストッパー片、３１第一小片、３２第二小片、３３抜穴、３４接続片、
３５突出孔、３６連結片、３７背板、３８ブラケット、３９押え板、４０ビス
Ｆフック、Ｈフック孔
【図１】
0003135967.tif 000003
【図２】
0003135967.tif 000004
【図３】
0003135967.tif 000005
【図４】
0003135967.tif 000006
【図５】
0003135967.tif 000007
【図６】
0003135967.tif 000008
【図７】
0003135967.tif 000009
【図８】
0003135967.tif 000010
【図９】
0003135967.tif 000011
【図１０】
0003135967.tif 000012